【手続補正書】
【提出日】令和3年11月5日(2021.11.5)
【手続補正１】
【補正対象書類名】特許請求の範囲
【補正対象項目名】全文
【補正方法】変更
【補正の内容】
【特許請求の範囲】
【請求項１】
聴覚機器を動作させる方法であって、
第１マイクロホン信号と、第２マイクロホン信号と、を取得することと、
前記第１マイクロホン信号と前記第２マイクロホン信号とに基づいて、第１ビームフォーム信号を取得することと、
前記第１マイクロホン信号と前記第２マイクロホン信号とに基づいて、第２ビームフォーム信号を取得することと、
前記第１ビームフォーム信号に基づいて、前記第１ビームフォーム信号の重みを含む第１パラメータを決定することと、
出力ビームフォーム信号を提供するために、前記第１パラメータに基づいて、前記第１ビームフォーム信号と前記第２ビームフォーム信号とを合成することと、
聴力損失補償のために、前記出力ビームフォーム信号を提供することと、を備える方法。
【請求項２】
さらに、前記第１マイクロホン信号と前記第２マイクロホン信号とに基づいて、第３ビームフォーム信号を取得することを備える、請求項１に記載の方法。
【請求項３】
前記出力ビームフォーム信号を提供するために、前記第１ビームフォーム信号および前記第２ビームフォーム信号は、前記第１パラメータに基づいて、前記第３ビームフォーム信号と合成される、請求項２に記載の方法。
【請求項４】
さらに、前記第２ビームフォーム信号に基づいて、第２パラメータを決定することを備える、請求項１に記載の方法。
【請求項５】
さらに、第３ビームフォーム信号に基づいて第３パラメータを決定することを備える、請求項４に記載の方法。
【請求項６】
前記第１ビームフォーム信号と前記第２ビームフォーム信号とを合成することは、前記出力ビームフォーム信号を提供するために、さらに前記第２パラメータおよび／または前記第３パラメータにも基づく、請求項４に記載の方法。
【請求項７】
さらに、対側の聴覚機器から対側の信号を取得することを備える、請求項１に記載の方法。
【請求項８】
聴覚機器を動作させる方法であって、
第１マイクロホン信号と、第２マイクロホン信号と、を取得することと、
前記第１マイクロホン信号と前記第２マイクロホン信号とに基づいて、第１ビームフォーム信号を取得することと、
前記第１マイクロホン信号と前記第２マイクロホン信号とに基づいて、第２ビームフォーム信号を取得することと、
前記第１ビームフォーム信号に基づいて、第１パラメータを決定することと、
出力ビームフォーム信号を提供するために、前記第１パラメータに基づいて、前記第１ビームフォーム信号と前記第２ビームフォーム信号とを合成することと、
聴力損失補償のために、前記出力ビームフォーム信号を提供することと、を備え、
前記第１ビームフォーム信号と前記第２ビームフォーム信号とを合成することは、前記第１ビームフォーム信号の第１ゲインを、第１一次ゲインから第１二次ゲインに下げることを含む、方法。
【請求項９】
前記第１ビームフォーム信号と前記第２ビームフォーム信号とを合成することは、前記第２ビームフォーム信号の第２ゲインを、第２一次ゲインから第２二次ゲインに上げることを含む、請求項８に記載の方法。
【請求項１０】
聴覚機器を動作させる方法であって、
第１マイクロホン信号と、第２マイクロホン信号と、を取得することと、
前記第１マイクロホン信号と前記第２マイクロホン信号とに基づいて、第１ビームフォーム信号を取得することと、
前記第１マイクロホン信号と前記第２マイクロホン信号とに基づいて、第２ビームフォーム信号を取得することと、
前記第１ビームフォーム信号に基づいて、第１パラメータを決定することと、
出力ビームフォーム信号を提供するために、前記第１パラメータに基づいて、前記第１ビームフォーム信号と前記第２ビームフォーム信号とを合成することと、
聴力損失補償のために、前記出力ビームフォーム信号を提供することと、
さらに、前記第１ビームフォーム信号および／または前記第１パラメータに基づいて、第１ビームフォーマを制御することと、を備える、方法。
【請求項１１】
聴覚機器を動作させる方法であって、
第１マイクロホン信号と、第２マイクロホン信号と、を取得することと、
前記第１マイクロホン信号と前記第２マイクロホン信号とに基づいて、第１ビームフォーム信号を取得することと、
前記第１マイクロホン信号と前記第２マイクロホン信号とに基づいて、第２ビームフォーム信号を取得することと、
前記第１ビームフォーム信号に基づいて、第１パラメータを決定することと、
出力ビームフォーム信号を提供するために、前記第１パラメータに基づいて、前記第１ビームフォーム信号と前記第２ビームフォーム信号とを合成することと、
聴力損失補償のために、前記出力ビームフォーム信号を提供することと、を備え、
前記第１ビームフォーム信号と前記第２ビームフォーム信号とを合成することは、前記第２ビームフォーム信号のゲインを、一次ゲインから二次ゲインに上げることを含む、方法。
【請求項１２】
第１マイクロホン信号を提供する第１マイクロホンと、第２マイクロホン信号を提供する第２マイクロホンと、を含むマイクロホン組と、
前記第１マイクロホンおよび前記第２マイクロホンに接続されるビームフォーミングモジュールであって、前記第１マイクロホン信号および前記第２マイクロホン信号に基づいて第１ビームフォーム信号を提供する第１ビームフォーマと、前記第１マイクロホン信号および前記第２マイクロホン信号に基づいて第２ビームフォーム信号を提供する第２ビームフォーマと、ビームフォーミングコントローラと、を有するビームフォーミングモジュールと、
入力信号に基づいて電気的出力信号を提供するように構成される処理ユニットと、
前記電気的出力信号に基づいて音声出力信号を提供するように構成されるレシーバと、
を含む聴覚機器であって、
前記ビームフォーミングコントローラは、
前記第１ビームフォーム信号に基づいて、前記第１ビームフォーム信号の重みを含む第１パラメータを決定し、
出力ビームフォーム信号を提供するために、前記第１パラメータに基づいて、前記第１ビームフォーム信号と前記第２ビームフォーム信号とを合成するように構成される、聴覚機器。
【請求項１３】
前記ビームフォーミングコントローラは、前記第１マイクロホン信号と前記第２マイクロホン信号とに基づいて、第３ビームフォーム信号を取得するように構成される、請求項１２に記載の聴覚機器。
【請求項１４】
前記ビームフォーミングコントローラは、前記出力ビームフォーム信号を提供するために、前記第１パラメータに基づいて、前記第１ビームフォーム信号と、前記第２ビームフォーム信号と、第３ビームフォーム信号と、を合成するように構成される、請求項１２に記載の聴覚機器。
【請求項１５】
第１外部信号源の第１無線入力信号を、アンテナ出力信号に変換するアンテナと、
前記アンテナ出力信号をトランシーバ入力信号に変換するために、前記アンテナに接続される無線トランシーバと、を備えており、
前記無線トランシーバは、前記処理ユニットに接続される、請求項１２に記載の聴覚機器。
【請求項１６】
第１マイクロホン信号を提供する第１マイクロホンと、第２マイクロホン信号を提供する第２マイクロホンと、を含むマイクロホン組と、
前記第１マイクロホンおよび前記第２マイクロホンに接続されるビームフォーミングモジュールであって、前記第１マイクロホン信号および前記第２マイクロホン信号に基づいて第１ビームフォーム信号を提供する第１ビームフォーマと、前記第１マイクロホン信号および前記第２マイクロホン信号に基づいて第２ビームフォーム信号を提供する第２ビームフォーマと、ビームフォーミングコントローラと、を有するビームフォーミングモジュールと、
入力信号に基づいて電気的出力信号を提供するように構成される処理ユニットと、
前記電気的出力信号に基づいて音声出力信号を提供するように構成されるレシーバと、
を含む聴覚機器であって、
前記ビームフォーミングコントローラは、
前記第１ビームフォーム信号に基づいて第１パラメータを決定し、
出力ビームフォーム信号を提供するために、前記第１パラメータに基づいて、前記第１ビームフォーム信号と前記第２ビームフォーム信号とを合成し、
前記第１ビームフォーム信号の第１ゲインを、第１一次ゲインから第１二次ゲインに下げることで、前記第１パラメータに基づいて、前記第１ビームフォーム信号と前記第２ビームフォーム信号とを合成するように構成される、聴覚機器。
【請求項１７】
前記ビームフォーミングコントローラは、前記第２ビームフォーム信号の第２ゲインを、第２一次ゲインから第２二次ゲインに上げることで、前記第１パラメータに基づいて、前記第１ビームフォーム信号と前記第２ビームフォーム信号とを合成するように構成される、請求項１６に記載の聴覚機器。
【請求項１８】
第１マイクロホン信号を提供する第１マイクロホンと、第２マイクロホン信号を提供する第２マイクロホンと、を含むマイクロホン組と、
前記第１マイクロホンおよび前記第２マイクロホンに接続されるビームフォーミングモジュールであって、前記第１マイクロホン信号および前記第２マイクロホン信号に基づいて第１ビームフォーム信号を提供する第１ビームフォーマと、前記第１マイクロホン信号および前記第２マイクロホン信号に基づいて第２ビームフォーム信号を提供する第２ビームフォーマと、ビームフォーミングコントローラと、を有するビームフォーミングモジュールと、
入力信号に基づいて電気的出力信号を提供するように構成される処理ユニットと、
前記電気的出力信号に基づいて音声出力信号を提供するように構成されるレシーバと、
を含む聴覚機器であって、
前記ビームフォーミングコントローラは、
前記第１ビームフォーム信号に基づいて第１パラメータを決定し、
出力ビームフォーム信号を提供するために、前記第１パラメータに基づいて、前記第１ビームフォーム信号と前記第２ビームフォーム信号とを合成し、
前記第２ビームフォーム信号のゲインを、一次ゲインから二次ゲインに上げることで、前記第１パラメータに基づいて、前記第１ビームフォーム信号と前記第２ビームフォーム信号とを合成するように構成される、聴覚機器。